(57)【要約】【課題】台上に景品を展示したままの状態で高さの調整ができ、微調整も可能で、各種クレーンゲーム機に共用できる景品台を提供する。【解決手段】太Ｌ字型の天板（１）と、当該天板の下面に取り付けられる天板取付け枠体（２）と、天板の下方に設けられる方形の基座枠体（３）と、これらの天板取付け枠体と基座枠体の間に取り付けられる複数組の開閉支脚（４１，４２，４３）と、支脚部材の上端又は下端を天板取付け枠体（２）又は基座枠体（３）に対してスライド可能に連結する複数本のスライド軸（５１〜５５）と、少なくとも一つの開閉支脚に、支脚を閉じ、天板を押し上げる方向に弾性力を常時作用させるスプリング（６）と、 少なくとも一つの開閉支脚に設けられ、その支脚部材を所望の開閉角度位置で固定するロック装置（７）と、天板取付け枠体（２）上の適所に設けられる吊り手（８）と、 から構成される。【選択図】図１
2005080798.tif 000002
【特許請求の範囲】
【請求項１】
クレーンゲーム機のケーシング内に設けられ、景品展示フィールドを形成する、高さ調節可能な景品台であって; 
ケーシング内法に適合する矩形板の一隅部を景品排出口部分としてほぼ四半分にわたって方形に切除してなる太Ｌ字型の天板（１）と; 
天板の下面に取り付けられる天板取付け枠体（２）と; 
天板の下方に設けられる方形の基座枠体（３）と; 
それぞれ中央部で互いに回動自在にＸ字状に枢支された２本の支脚部材から成り、天板取付け枠体（２）と基座枠体（３）の間に、対を成して相対向して設けられる複数組の開閉支脚（４１，４２，４３）と; 
支脚部材の上端又は下端を天板取付け枠体（２）又は基座枠体（３）に対してスライド可能に連結する複数本のスライド軸（５１〜５５）と; 
少なくとも一つの開閉支脚に、支脚を閉じ、天板を押し上げる方向に弾性力を常時作用させるスプリング（６）と; 
少なくとも一つの開閉支脚に設けられ、その支脚部材を所望の開閉角度位置で固定するロック装置（７）と; 
天板取付け枠体（２）上の適所に設けられる吊り手（８）と; 
を備え; 
上記天板取付け枠体（２）は、
天板の一方の主軸に平行な長い縁辺に沿って設けられる第一の天板用フレーム（２１）と、
景品排出穴を画成する天板の二縁辺のうち上記第一の天板用フレーム（２１）に平行な縁辺とその延長線に沿って設けられる第二の天板用フレーム（２２）と、
天板の上記一方の主軸に平行な短い縁辺に沿って設けられる第三の天板用フレーム（２３）と、
天板の他方の主軸に平行な長い縁辺に沿って設けられる第一の天板用ガイドレール付きフレーム（２４）と、
景品排出穴を画成する天板の二縁辺のうち上記第一の天板用ガイドレール付きフレーム（２４）に平行な縁辺とその延長線に沿って設けられる第二の天板用ガイドレール付きフレーム（２５）と、
天板の上記他方の主軸に平行な短い縁辺に沿って設けられる第三の天板用ガイドレール付きフレーム（２６）と、から成り; 
上記基座枠体（３）は、
上記第一の天板用ガイドレール付きフレーム（２４）、第二の天板用ガイドレール付きフレーム（２５）、第二の天板用フレーム（２２）の一部及び第三の天板用フレーム（２３）にそれぞれ平行な、第一の基座用ガイドレール付きフレーム（３１）、第二の基座用ガイドレール付きフレーム（３２）、第一の基座用フレーム（３３）及び第二の基座用フレーム（３４）から成り、
上記第一及び第二の天板用ガイドレール付きフレーム（２４及び２５）の間に挟まれる領域の下方に配置され; 
上記複数本のスライド軸（５１〜５５）は、
第一の天板用ガイドレール付きフレーム（２４）と第二の天板用ガイドレール付きフレーム（２５）の間にそれらと直角に架け渡され、それぞれの両端部がそれぞれ対応するガイドレールに沿って移動自在に支持されるスライド軸であって、第三の天板用フレーム（２３）側から第一の天板用フレーム（２１）側に向かって順次配列される第一、第二及び第三のスライド軸（５１，５２，５３）と、
第二の天板用ガイドレール付きフレーム（２５）と第三の天板用ガイドレール付きフレーム（２６）の間にそれらと直角に架け渡され、その両端部がそれぞれ対応するガイドレールに沿って移動自在に支持される第四のスライド軸（５４）と、
第一及び第二の基座用ガイドレール付きフレーム（３１及び３２）の間に架け渡され、その両端部がそれぞれ対応するガイドレールに沿って移動自在に支持される第五のスライド軸（５５）と、から成り; 
上記複数組の開閉支脚（４１，４２，４３）は、
それぞれ一方の支脚部材（４１１）の上端が第一のスライド軸（５１）の両端部に回動自在に軸支され、下端が第一の基座用フレーム（３３）の両端部に回動自在に連結され、他の一方の支脚部材（４１２）の上端が第二のスライド軸（５２）の両端部に回動自在に軸支され、下端が第五のスライド軸（５５）の両端部に回動自在に軸支された第一の開閉支脚（４１）と、
それぞれ一方の支脚部材（４２１）の上端が第三のスライド軸（５３）の両端部に回動自在に軸支され、下端が第一の天板用フレーム（２１）の下方の床面に設けた第一の床上軸（９１）に回動自在に軸支され、他の一方の支脚部材（４２２）の上端が第一の天板用フレーム（２１）に回動自在に連結され、下端が第一の基座用フレーム（３３）に回動自在に連結された第二の開閉支脚（４２）と、
それぞれ一方の支脚部材（４３１）の上端が第四のスライド軸（５４）の両端部に回動自在に軸支され、下端が上記第一の床上軸（９１）に回動自在に軸支され、他の一方の支脚部材（４３２）の上端が第一の天板用フレーム（２１）に回動自在に連結され、下端が第四のスライド軸（５４）の下方の床面に設けた第二の床上軸（９２）に回動自在に軸支された第三の開閉支脚（４３）と、から成る; 
ことを特徴とする上記のクレーンゲーム機用景品台。
【請求項２】
第二のスライド軸（５２）が、第三のスライド軸（５３）を兼ねることを特徴とする請求項１に記載のクレーンゲーム機用景品台。
【請求項３】
対を成して相対向して設けられる第二の開閉支脚（４２）の、第三の開閉支脚（４３）側の開閉支脚が、対を成して相対向して設けられる第三の開閉支脚（４３）の、第二の開閉支脚（４２）側の開閉支脚を兼ねることを特徴とする請求項１に記載のクレーンゲーム機用景品台。
【発明の詳細な説明】
【技術分野】
【０００１】
本発明は、クレーンゲーム機のケーシング内に設けられ、景品展示フィールドを形成する景品台の改良に関する。
【背景技術】
【０００２】
クレーンゲーム機は、そのケーシング内の景品台上にプレイヤーから見えるように積み上げられた景品を、プレイヤーが操作できる景品キャッチャーにより掴み取って、景品排出口へ投下するように構成されたゲーム機であり、ゲームセンターその他の娯楽施設において広く楽しまれている。
【０００３】
然しながら、景品の量や種類に応じて景品台の高さを変更しようとする場合、従来の景品台では、その天板上の景品を先ずすべて取り除き、それらの景品をゲーム機のケーシング外に取り出す必要があった。
また、景品台の高さを変化させるために、台の下に別のパーツを手作業で積み重ねたりするため、不安定であったり、見た目も良くないという問題があった。
更に、上記パーツのサイズは種類が限られているため、高さの微調整は不可能であるという問題もあった。
更にまた、回転ハンドルを使って高さを変化させるように構成した景品台もあるが、高さの調整時に景品を一部取り除く必要があったり、ネジ回転式のため調整に時間がかかったり、固定する際のネジ固定がやりづらかったり、使用している間に台自体が自重で歪んできたり、見た目に良くない状態になるという不具合もあった。
また、上記ネジ回転式のものは、特別のネジ式構造のため、各種クレーンゲーム機に共通に使用できるというような汎用性がなく、構造も頑丈にする必要があるため、全体が重く、高価なものにならざるを得ないという問題もあった。
【発明の開示】
【発明が解決しようとする課題】
【０００４】
本発明は、上記の問題点を解決するためなされたものであり、その目的とするところは、台の高さの調整が容易で、調整時に台上の景品を機外へ取り出す必要がなく、ゲーム機やゲーム場の運営を休止する必要もなく、微調整も可能で、様々なクレーンゲーム機に汎用できる、等々の多くの利点を有するクレーンゲーム機用の景品台を提供することにある。
【課題を解決するための手段】
【０００５】
本発明の上記の目的は、
クレーンゲーム機のケーシング内に設けられ、景品展示フィールドを形成する、高さ調節可能な景品台であって; 
ケーシング内法に適合する矩形板の一隅部を景品排出口部分としてほぼ四半分にわたって方形に切除してなる太Ｌ字型の天板と; 
天板の下面に取り付けられる天板取付け枠体と; 
天板の下方に設けられる方形の基座枠体と; 
それぞれ中央部で互いに回動自在にＸ字状に枢支された２本の支脚部材から成り、天板取付け枠体と基座枠体の間に、対を成して相対向して設けられる複数組の開閉支脚と; 
支脚部材の上端又は下端を天板取付け枠体又は基座枠体に対してスライド可能に連結する複数本のスライド軸と; 
少なくとも一つの開閉支脚に、支脚を閉じ、天板を押し上げる方向に弾性力を常時作用させるスプリングと; 
少なくとも一つの開閉支脚に設けられ、その支脚部材を所望の開閉角度位置で固定するロック装置と; 
天板取付け枠体上の適所に設けられる吊り手と; 
を備え; 
上記天板取付け枠体は、
天板の一方の主軸に平行な長い縁辺に沿って設けられる第一の天板用フレームと、
景品排出穴を画成する天板の二縁辺のうち上記第一の天板用フレームに平行な縁辺とその延長線に沿って設けられる第二の天板用フレームと、
天板の上記一方の主軸に平行な短い縁辺に沿って設けられる第三の天板用フレームと、
天板の他方の主軸に平行な長い縁辺に沿って設けられる第一の天板用ガイドレール付きフレームと、
景品排出穴を画成する天板の二縁辺のうち上記第一の天板用ガイドレール付きフレームに平行な縁辺とその延長線に沿って設けられる第二の天板用ガイドレール付きフレームと、
天板の上記他方の主軸に平行な短い縁辺に沿って設けられる第三の天板用ガイドレール付きフレームと、から成り; 
上記基座枠体は、
上記第一の天板用ガイドレール付きフレーム、第二の天板用ガイドレール付きフレーム、第二の天板用フレームの一部及び第三の天板用フレームにそれぞれ平行な、第一の基座用ガイドレール付きフレーム、第二の基座用ガイドレール付きフレーム、第一の基座用フレーム及び第二の基座用フレームから成り、
上記第一及び第二の天板用ガイドレール付きフレームの間に挟まれる領域の下方に配置され; 
上記複数本のスライド軸は、
第一の天板用ガイドレール付きフレームと第二の天板用ガイドレール付きフレームの間にそれらと直角に架け渡され、それぞれの両端部がそれぞれ対応するガイドレールに沿って移動自在に支持されるスライド軸であって、第三の天板用フレーム側から第一の天板用フレーム側に向かって順次配列される第一、第二及び第三のスライド軸と、
第二の天板用ガイドレール付きフレームと第三の天板用ガイドレール付きフレームの間にそれらと直角に架け渡され、その両端部がそれぞれ対応するガイドレールに沿って移動自在に支持される第四のスライド軸と、
第一及び第二の基座用ガイドレール付きフレームの間に架け渡され、その両端部がそれぞれ対応するガイドレールに沿って移動自在に支持される第五のスライド軸と、から成り; 
上記複数組の開閉支脚は、
それぞれ一方の支脚部材の上端が第一のスライド軸の両端部に回動自在に軸支され、下端が第一の基座用フレームの両端部に回動自在に連結され、他の一方の支脚部材の上端が第二のスライド軸の両端部に回動自在に軸支され、下端が第五のスライド軸の両端部に回動自在に軸支された第一の開閉支脚と、
それぞれ一方の支脚部材の上端が第三のスライド軸の両端部に回動自在に軸支され、下端が第一の天板用フレームの下方の床面に設けた第一の床上軸に回動自在に軸支され、他の一方の支脚部材の上端が第一の天板用フレームに回動自在に連結され、下端が第一の基座用フレームに回動自在に連結された第二の開閉支脚と、
それぞれ一方の支脚部材の上端が第四のスライド軸の両端部に回動自在に軸支され、下端が上記第一の床上軸に回動自在に軸支され、他の一方の支脚部材の上端が第一の天板用フレームに回動自在に連結され、下端が第四のスライド軸の下方の床面に設けた第二の床上軸に回動自在に軸支された第三の開閉支脚と、から成る; 
ことを特徴とする上記のクレーンゲーム機用景品台によって達成できる。
その場合において、上記第二のスライド軸が、第三のスライド軸を兼ねるように構成することも可能である。
また，対を成して相対向して設けられる第二の開閉支脚の、第三の開閉支脚側の開閉支脚が、対を成して相対向して設けられる第三の開閉支脚の、第二の開閉支脚側の開閉支脚を兼ねるように構成することも可能である。
【発明の効果】
【０００６】
上記の如き構成であると、景品台の高さの調整作業が実質的にはロック装置の解除と固定だけであるので、作業が簡単であり、天板を上下に動かす際には、吊り手を持って操作でき、スプリング力による補助もあるので軽い力で持ち上げることができる。
そのため、天板上に景品を展示したままの状態で高さの調整作業が可能となり、作業効率が大幅にアップする。
従ってまた、すべての作業を短時間で完了させることができ、ゲーム機やゲーム場の運営を休止するような支障を生じることがない。
また、開閉支脚は無段階で角度調節が可能であるので、任意の角度位置で固定可能なロック装置を用いることにより、天板の高さを無段階で微調整できる。
景品台全体を単体として取り外すことができるので、異種のクレーンゲーム機間でも使い廻すことができる。
コンパクトに折り畳むことができる機構なので、持ち運びも容易である。
パンタグラフ構造のため、頑丈な上、軽量化が可能であり、製造コストも低く抑えることができる。
【発明を実施するための最良の形態】
【０００７】
以下、図面に示す実施例を参照しつつ、本発明を実施するための最良の形態について説明する。
【実施例】
【０００８】
図１は、本発明に係るクレーンゲーム機用景品台の一実施例を、その天板を上に持ち上げロックした状態において示す斜視図、
図２は、図１中の矢符IIの方向から見た状態を示す側面図、
図３は、図１中の矢符III の方向から見た状態を示す側面図、
図４は、図１に示す景品台の上面図、
図５は、図１に示す景品台を、その天板を押し下げ、折り畳んだ状態において示す斜視図、
図６は、図５中の矢符VIの方向から見た状態を示す側面図、
図７は、クレーンゲーム機のケーシング内に本発明に係る景品台を設置した状態を示す外観斜視図である。
【０００９】
図１〜図６中、１は天板、２は天板取付け枠体、２１〜２３は第一〜第三の天板用フレーム、２４〜２６は第一〜第三の天板用ガイドレール付きフレーム、３は基座枠体、３１〜３２は第一〜第二の基座用ガイドレール付きフレーム、３３〜３４は第一〜第二の基座用フレーム、４１〜４３は第一〜第三の開閉支脚、４１１〜４３２は支脚部材、５１〜５５は第一〜第五のスライド軸、６はスプリング、７はロック装置、８は吊り手、９１〜９２は第一〜第二の床上軸である。図７中、Ａは、クレーンゲーム機のケーシング内に設置された本発明に係る景品台である。
【００１０】
本発明に係るクレーンゲーム機用景品台は、図７に示す如く、クレーンゲーム機のケーシング内に設置され、当該景品台Ａの天板上に各種景品が多数載置されるようになっている。
本発明に係るクレーンゲーム機用景品台は、図１〜図６に示すように、基本的は、太Ｌ字型の天板１と、当該天板１の下面に取り付けられる天板取付け枠体２と、天板の下方に設けられる方形の基座枠体３と、これらの天板取付け枠体２と基座枠体３の間に取り付けられる複数組の開閉支脚４１，４２，４３と、支脚部材の上端又は下端を天板取付け枠体２又は基座枠体３に対してスライド可能に連結する複数本のスライド軸５１〜５５と、少なくとも一つの開閉支脚に、支脚を閉じ、天板を押し上げる方向に弾性力を常時作用させるスプリング６と、 少なくとも一つの開閉支脚に設けられ、その支脚部材を所望の開閉角度位置で固定するロック装置７と、天板取付け枠体２上の適所に設けられる吊り手８と、 から構成されている。
【００１１】
図２に示すように、開閉支脚の開閉角度αが小さくなるように支脚を閉じると、天板取付け枠体２と基座枠体３との間隔が広がって、天板取付け枠体２及び天板１の高さが高くなり、開閉角度αが略１８０度になるように支脚を完全に開くと、天板取付け枠体２と基座枠体３との間隔が狭まり、両者がくっついて、図５及び図６に示すような折り畳まれた状態になる。
【００１２】
天板１は、ケーシングの内法に適合する矩形板の一隅部（図１において、右下部分）を景品排出口部分としてほぼ四半分にわたって方形に切除した太Ｌ字型をしており、天板１の下面に取り付けられる天板取付け枠体２の外形も、それより僅かに小さめの太Ｌ字型をなしている。
これに対して、天板の下方に設けられる基座枠体３は、天板１の上記太Ｌ字型の一辺より短めの方形をなしている（図１，２，５，６参照）。
【００１３】
上記天板取付け枠体２は、天板の一方の主軸に平行な長い縁辺に沿って設けられる第一の天板用フレーム２１と、景品排出穴を画成する天板の二縁辺のうち上記第一の天板用フレーム２１に平行な縁辺とその延長線に沿って設けられる第二の天板用フレーム２２と、天板の上記一方の主軸に平行な短い縁辺に沿って設けられる第三の天板用フレーム２３と、天板の他方の主軸に平行な長い縁辺に沿って設けられる第一の天板用ガイドレール付きフレーム２４と、  景品排出穴を画成する天板の二縁辺のうち上記第一の天板用ガイドレール付きフレーム２４に平行な縁辺とその延長線に沿って設けられる第二の天板用ガイドレール付きフレーム２５と、天板の上記他方の主軸に平行な短い縁辺に沿って設けられる第三の天板用ガイドレール付きフレーム２６と、から構成されている。
【００１４】
また、基座枠体３は、上記第一の天板用ガイドレール付きフレーム２４、第二の天板用ガイドレール付きフレーム２５、第二の天板用フレーム２２の一部及び第三の天板用フレーム２３にそれぞれ平行な、第一の基座用ガイドレール付きフレーム３１、第二の基座用ガイドレール付きフレーム３２、第一の基座用フレーム３３及び第二の基座用フレーム３４から成り、上記第一及び第二の天板用ガイドレール付きフレーム２４及び２５の間に挟まれる領域の下方に配置される。
【００１５】
複数の開閉支脚４１，４２，４３のそれぞれは、中央部で互いに回動自在にＸ字状に枢支された２本の支脚部材から成るものが、対を成して相対向して設けられることにより一組の開閉支脚を構成し、 合計三組の開閉支脚４１，４２，４３が、天板取付け枠体２と基座枠体３の間に設けられるようになっている。ただし、図示した実施例において（特に、図１及び図３参照）、第二の開閉支脚４２と第三の開閉支脚４３に関しては、両者が互いに接する箇所の支脚については、一方の支脚が他方の支脚を兼ねるように構成してある。
【００１６】
上記複数本のスライド軸５１〜５５は、天板１の高さを調整するとき、開閉支脚４１〜４３が開閉できるようにするため、支脚部材の上端又は下端を天板取付け枠体２又は基座枠体３に対してスライド可能に連結するための部材である。
第一、第二及び第三のスライド軸５１，５２，５３は、いずれも第一の天板用ガイドレール付きフレーム２４と第二の天板用ガイドレール付きフレーム２５の間にそれらと直角に架け渡され、それぞれの両端部がそれぞれ対応するガイドレールに沿って移動自在に支持され、第三の天板用フレーム２３側から第一の天板用フレーム２１側に向かって、第一のスライド軸５１、第二のスライド軸５２、第三のスライド軸５３の順に互いに平行に配列される。
第四のスライド軸５４は、第二の天板用ガイドレール付きフレーム２５と第三の天板用ガイドレール付きフレーム２６の間にそれらと直角に架け渡され、その両端部がそれぞれ対応するガイドレールに沿って移動自在に支持される。
第五のスライド軸５５は、第一及び第二の基座用ガイドレール付きフレーム３１及び３２の間に架け渡され、その両端部がそれぞれ対応するガイドレールに沿って移動自在に支持される。
【００１７】
上記三組の開閉支脚４１，４２，４３のうち、第一の開閉支脚４１は、第一の天板用ガイドレール付きフレーム２４と第一の基座用ガイドレール付きフレーム３１との間に設けられる片方の開閉支脚と、第二の天板用ガイドレール付きフレーム２５と第二の基座用ガイドレール付きフレーム３２との間に設けられるもう片方の開閉支脚とが、前記の如く、対を成して相対向して設けられるようになっている。これらの対を成す片方の開閉支脚ともう片方の開閉支脚とは、全く同様の構成であり、その点に関しては第二の開閉支脚４２や第三の開閉支脚４３についても同様である。
第一の開閉支脚４１の上記片方及びもう片方の開閉支脚の、一方の支脚部材４１１の上端は第一のスライド軸５１の両端部に回動自在に軸支され、下端は第一の基座用フレーム３３の両端部に回動自在に連結され、他の一方の支脚部材４１２の上端は第二のスライド軸５２の両端部に回動自在に軸支され、下端は第五のスライド軸５５の両端部に回動自在に軸支されている。
【００１８】
それと同様に、第二の開閉支脚４２は、その一方の支脚部材４２１の上端が第三のスライド軸５３の両端部に回動自在に軸支され、下端が第一の天板用フレーム２１の下方の床面に設けた第一の床上軸９１に回動自在に軸支され、他の一方の支脚部材４２２の上端が第一の天板用フレーム２１に回動自在に連結され、下端が第一の基座用フレーム３３に回動自在に連結されている。
【００１９】
また、第三の開閉支脚４２は、その一方の支脚部材４３１の上端が第四のスライド軸５４の両端部に回動自在に軸支され、下端が上記第一の床上軸９１に回動自在に軸支され、他の一方の支脚部材４３２の上端が第一の天板用フレーム２１に回動自在に連結され、下端が第四のスライド軸５４の下方の床面に設けた第二の床上軸９２に回動自在に軸支されている。
【００２０】
なお、図１，２，６においては、上記第二のスライド軸５２が、第三のスライド軸５３を兼ねるように描いてあるが、図４に示すように両者を個別に設けるように構成してもよい。
また，対を成して相対向して設けられる第二の開閉支脚４２の、第三の開閉支脚４３側の開閉支脚が、対を成して相対向して設けられる第三の開閉支脚４３の、第二の開閉支脚４２側の開閉支脚を兼ねるように構成されている。
【００２１】
スプリング６は、基座枠体３と第五のスライド軸５５との間に引っ張り力を作用させることにより（図１及び図２参照）、第一の開閉支脚４１に対して、支脚を閉じ、天板を押し上げる方向の力を常時作用させるようになっている。
【００２２】
ロック装置７は、第一の開閉支脚４１の支脚部材４１１と４１２を所望の開閉角度位置で固定するよう構成され、これによって、天板１を任意の高さ位置で固定できるようになっている。
【００２３】
吊り手８の両端は、天板１を貫通して第二の天板用フレーム２２に取り付けられており（図１〜図４参照）、これを持ち上げたり、押し下げたりすることにより、天板１の高さを無段階で連続的に変化させることができ、持ち上げるときには、スプリング６の力が加わって、軽い力で持ち上げることができる。
【００２４】
なお、本発明は上記の実施例に限定されるものではなく、その目的の範囲内において、上記の説明から当業者が容易に想到し得るすべての変更実施例を包摂するものである。
【産業上の利用可能性】
【００２５】
本発明は上記の如く構成されるから、本発明によるときは、従来の景品台によっては不可能であった下記の如き多くの作用効果を達成することができるものであり、従って、本発明はクレーンゲーム機の産業分野において多大の利用価値を有するものである。
（１）天板上に景品を展示したままの状態で高さの調整作業が可能である。
（２）天板の高さを自由に無段階で微調整できる。
（３）天板の高さの調整作業の手順が少なく簡単である。
（４）天板の高さの調整作業に力を必要としない。
（５）すべての作業を短時間で完了させることができるので、ゲーム機やゲーム場の運営を休止するというような支障を生じることがない。
（６）景品台全体を単体として取り外すことができるので、別種のクレーンゲーム機でも使用することが可能である。
（７）パンタグラフ構造のため、コンパクトに折り畳むことが可能であり、頑丈で、軽量化も可能である。
（８）安価に製造できる。
【図面の簡単な説明】
【００２６】
【図１】本発明に係るクレーンゲーム機用景品台の一実施例を、その天板を上に持ち上げロックした状態において示す斜視図である。
【図２】図１中の矢符IIの方向から見た状態を示す側面図である。
【図３】図１中の矢符III の方向から見た状態を示す側面図である。
【図４】図１に示す景品台の上面図である。
【図５】図１に示す景品台を、その天板を押し下げ、折り畳んだ状態において示す斜視図である。
【図６】図５中の矢符VIの方向から見た状態を示す側面図である。
【図７】クレーンゲーム機のケーシング内に本発明に係る景品台を設置した状態を示す外観斜視図である。
【符号の説明】
【００２７】
Ａ      景品台
１      天板
２      天板取付け枠体
２１〜２３  第一〜第三の天板用フレーム
２４〜２６  第一〜第三の天板用ガイドレール付きフレーム
３      基座枠体
３１〜３２  第一〜第二の基座用ガイドレール付きフレーム
３３〜３４  第一〜第二の基座用フレーム
４１〜４３  第一〜第三の開閉支脚
５１〜５５  第一〜第五のスライド軸    
６      スプリング
７      ロック装置
８      吊り手
９１〜９２  第一〜第二の床上軸
【図１】
2005080798.tif 000003
【図２】
2005080798.tif 000004
【図３】
2005080798.tif 000005
【図４】
2005080798.tif 000006
【図５】
2005080798.tif 000007
【図６】
2005080798.tif 000008
【図７】
2005080798.tif 000009